(57)【特許請求の範囲】
【請求項１】
撮像手段が撮像した画像を取り込む画像取込手段と、
前記画像取込手段が取り込んだ１フレームの前記画像から、客が購入する商品に係る商品情報または商品の購入時に付与されるサービスを示すサービス情報のいずれか一方の情報を読み取る第１の読取手段と、
前記画像取込手段が取り込んだ前記１フレームの画像から、前記商品情報または前記サービス情報のうち前記第１の読取手段が読み取った情報とは異なる他方の情報を読み取り、前記１フレームの画像から前記他方の情報が読み取られない場合には前記画像取込手段により新たな画像の取込を行って、当該新たな画像から前記他方の情報を読み取る第２の読取手段と、
前記第１の読取手段が読み取った前記いずれか一方の情報と、前記第２の読取手段が読み取った前記他方の情報とを出力する情報出力手段と、
を備えるコード読取装置。
【請求項２】
前記画像取込手段が取り込む前記新たな画像は、前記第１の読取手段によって前記いずれか一方の情報が読み取られた時以降の所定時間内に前記撮像手段によって撮像された画像である、請求項１に記載のコード読取装置。
【請求項３】
前記画像取込手段が取り込む前記画像は、前記商品に付されたコードシンボルの撮像画像、または、前記商品に付されたラベルの撮像画像を含む、請求項１または２に記載のコード読取装置。
【請求項４】
前記第１の読取手段または前記第２の読取手段は、前記コードシンボルの撮像画像から前記商品情報を読み取り、前記ラベルの撮像画像に含まれる文字を認識して前記サービス情報を読み取る、請求項３に記載のコード読取装置。
【請求項５】
コンピュータを、
撮像手段が撮像した画像を取り込む画像取込手段と、
前記画像取込手段が取り込んだ１フレームの前記画像から、客が購入する商品に係る商品情報または商品の購入時に付与されるサービスを示すサービス情報のいずれか一方の情報を読み取る第１の読取手段と、
前記画像取込手段が取り込んだ前記１フレームの画像から、前記商品情報または前記サービス情報のうち前記第１の読取手段が読み取った情報とは異なる他方の情報を読み取り、前記１フレームの画像から前記他方の情報が読み取られない場合には前記画像取込手段により新たな画像の取込を行って、当該新たな画像から前記他方の情報を読み取る第２の読取手段と、
前記第１の読取手段が読み取った前記いずれか一方の情報と、前記第２の読取手段が読み取った前記他方の情報とを出力する情報出力手段と、
として機能させるプログラム。
【請求項６】
撮像手段が撮像した画像を取り込む画像取込手段と、
前記画像取込手段が取り込んだ１フレームの前記画像から、客が購入する商品に係る商品情報または商品の購入時に付与されるサービスを示すサービス情報のいずれか一方の情報を読み取る第１の読取手段と、
前記画像取込手段が取り込んだ前記１フレームの画像から、前記商品情報または前記サービス情報のうち前記第１の読取手段が読み取った情報とは異なる他方の情報を読み取り、前記１フレームの画像から前記他方の情報が読み取られない場合には前記画像取込手段により新たな画像の取込を行って、当該新たな画像から前記他方の情報を読み取る第２の読取手段と、
前記第１の読取手段が読み取った前記いずれか一方の情報と、前記第２の読取手段が読み取った前記他方の情報とを出力する情報出力手段と、
を備える販売登録システム。
【発明の詳細な説明】
【技術分野】
【０００１】
本発明は、コード読取装置、販売登録システムおよびプログラムに関する。
【背景技術】
【０００２】
従来、スーパーマーケット等の小売店では、生鮮品の廃棄ロスを削減するために、閉店時間が近づくと商品を値引して販売することがしばしば行われている。この場合、店側は、値引額や割引率などを表示した値引ラベルを商品に貼付して、顧客に値引商品であることを明示している。また、ＰＯＳ（Point  of  Sales）端末のオペレータは、客が買上げる商品に値引ラベルが貼付されている場合には、スキャナで当該商品のバーコードを読み取るとともに、キーボードやタッチパネル等から値引に関する処理を行う。このため、オペレータが値引ラベルに気付かずに値引商品を通常価格で販売してしまうおそれがあった。
【０００３】
これに対して、特許文献１では、カメラでバーコードおよび値引ラベルを同時に撮像し、撮像した画像から読み取った商品コードおよび値引情報をＰＯＳ端末に出力することで、ＰＯＳ端末における値引処理を自動的に行う技術が開示されている。
【発明の概要】
【発明が解決しようとする課題】
【０００４】
ところで、特許文献１に記載された技術では、値引ラベルとバーコードとを一度に撮像するようにしていることから、値引ラベルがバーコードの近くに貼付されることが必要となる。しかしながら、値引ラベルは店員が手作業で貼り付けることが多いため、バーコードと値引ラベルの位置が離れることがある。このような場合には、カメラが一度に両者を撮像することができないため、値引処理を自動的に行うことができず、オペレータがキーボード等から手入力することによって値引処理を行っていた。
【０００５】
本発明は、上記に鑑みてなされたものであって、オペレータによる例えば値引処理操作等のサービス付与処理操作を必要とせずに、自動的に商品の購入時にサービスを付与することができるコード読取装置、販売登録システムおよびプログラムを提供するものである。
【課題を解決するための手段】
【０００６】
実施形態のコード読取装置は、撮像手段が撮像した画像を取り込む画像取込手段と、前記画像取込手段が取り込んだ１フレームの前記画像から、客が購入する商品に係る商品情報または商品の購入時に付与されるサービスを示すサービス情報のいずれか一方の情報を読み取る第１の読取手段と、前記画像取込手段が取り込んだ前記１フレームの画像から、前記商品情報または前記サービス情報のうち前記第１の読取手段が読み取った情報とは異なる他方の情報を読み取り、前記１フレームの画像から前記他方の情報が読み取られない場合には前記画像取込手段により新たな画像の取込を行って、当該新たな画像から前記他方の情報を読み取る第２の読取手段と、前記第１の読取手段が読み取った前記いずれか一方の情報と、前記第２の読取手段が読み取った前記他方の情報とを出力する情報出力手段と、を備える。
【０００７】
また、実施形態のプログラムは、コンピュータを、撮像手段が撮像した画像を取り込む画像取込手段と、前記画像取込手段が取り込んだ１フレームの前記画像から、客が購入する商品に係る商品情報または商品の購入時に付与されるサービスを示すサービス情報のいずれか一方の情報を読み取る第１の読取手段と、前記画像取込手段が取り込んだ前記１フレームの画像から、前記商品情報または前記サービス情報のうち前記第１の読取手段が読み取った情報とは異なる他方の情報を読み取り、前記１フレームの画像から前記他方の情報が読み取られない場合には前記画像取込手段により新たな画像の取込を行って、当該新たな画像から前記他方の情報を読み取る第２の読取手段と、前記第１の読取手段が読み取った前記いずれか一方の情報と、前記第２の読取手段が読み取った前記他方の情報とを出力する情報出力手段と、として機能させる。
【発明の効果】
【０００８】
本発明によれば、１フレームの画像から商品情報またはサービス情報のいずれか一方しか読み取れなくとも、新たに取り込んだ撮像画像から読み取れなかった他方の情報を読み取り、商品情報とサービス情報とを出力するので、オペレータによるサービス付与処理操作を必要とせずに、自動的に商品の購入時にサービスを付与することができる。
【図面の簡単な説明】
【０００９】
【図１】図１は、本発明の第１の実施の形態にかかるコード読取装置を用いたチェックアウトレーンシステムの構成を概略的に示す外観斜視図である。
【図２】図２は、コード読取装置の構成を示すブロック図である。
【図３】図３は、商品とカメラの撮像エリアとの関係の一例を示す図である。
【図４】図４は、割引ラベルを示す図である。
【図５】図５は、ポイント割増ラベルを示す図である。
【図６】図６は、ラベル特徴テーブルを説明する図である。
【図７】図７は、バーコードラベルおよび値引ラベルを含む画像データを示す図である。
【図８】図８は、バーコードラベルおよび値引ラベルと、撮像エリアとの関係の一例を示す図である。
【図９】図９は、バーコードラベルを含む画像データを示す図である。
【図１０】図１０は、値引ラベルを含む画像データを示す図である。
【図１１】図１１は、バーコードデータを説明する図である。
【図１２】図１２は、サービスコードを説明する図である。
【図１３】図１３は、複合コードを説明する図である。
【図１４】図１４は、コード読取装置が実行する情報出力処理の手順を示すフローチャートである。
【図１５】図１５は、第２の実施の形態にかかるコード読取装置の構成を示すブロック図である。
【図１６】図１６は、コード読取装置が実行する情報出力処理の手順を示すフローチャートである。
【発明を実施するための形態】
【００１０】
以下に添付図面を参照して、この発明にかかるコード読取装置およびプログラムの最良な実施の形態を詳細に説明する。
【００１１】
（第１の実施の形態）
図１は本発明の第１の実施の形態にかかるコード読取装置２を備えたチェックアウトレーンシステム４の構成を概略的に示す斜視図である。図１に示すように、チェックアウトレーンシステム４は、商品を入れた買い物かごを戴置するためのサッカー台１と、サッカー台１の略中央に立設されたコード読取装置２と、コード読取装置２と図示しない伝送路によって相互通信可能に接続されたＰＯＳ端末３とを備えている。
【００１２】
ＰＯＳ端末３は、客が購入する商品の販売登録を行うものである。図１に示すように、ＰＯＳ端末３には、キーボード３１、オペレータ用の表示器３２、客用の表示器３３、レシート印字等を行うプリンタ３４、現金等を収容するためのドロワ３５等が設けられている。キーボード３１には、商品代金の決済に必要な締めキー等が配設されている。ＰＯＳ端末３は、この種のチェックアウトレーンシステムで標準的に使用されているＰＯＳ端末と同様の構成と機能とを備えている。
【００１３】
コード読取装置２は、商品に貼付されたバーコードを読み取って、バーコードが含む商品情報をＰＯＳ端末３に出力するための装置である。図１に示すように、コード読取装置２は、読取窓２１と、キーボード２２と、ディスプレイ２３と、表示ＬＥＤ２４と、ブザー２５とを主に備えている。キーボード２２は、バーコードで登録不能な商品の登録を行う場合に、各種キーによる入力を受付ける。ディスプレイ２３は、登録された商品の品名や価格等を買い物客に対して表示する。表示ＬＥＤ２４は、商品に貼付されたバーコードが読み取られた場合に点灯して、バーコードが読み取られていることをオペレータに報知する。ブザー２５は、商品に貼付されたバーコードが読み取られた場合にブザー音を鳴らして、オペレータに報知する。読取窓２１が設けられたコード読取装置２の内部には、ＣＣＤ（Charge  Coupled  Device）カメラ２０（図２参照）が内蔵されている。
【００１４】
図２は、コード読取装置２の構成を示すブロック図である。コード読取装置２は、ＣＰＵ５０と、ＲＯＭ４２と、ＲＡＭ４３と、通信Ｉ／Ｆ４４と、出力ポート４６と、キーボードコントローラ４７と、表示コントローラ４８と、カメラコントローラ４９と、メモリ４５とを主に備えており、これらをアドレスバス、データバスなどのバスライン４１で接続して構成されている。
【００１５】
ＣＰＵ５０は、コード読取装置２の動作全体を制御する制御部として機能する。ＲＯＭ４２は、本実施の形態にかかるプログラムや、ＣＰＵ５０の動作を制御するその他のプログラム等を記憶している。ＲＡＭ４３は、ＣＰＵ５０がＲＯＭ４２が記憶する各種プログラムを展開する際にワークエリアとして機能するものである。また、ＲＡＭ４３は、カメラ２０によって撮像した画像データなどの各種データを格納する。
【００１６】
通信Ｉ／Ｆ４４は、バスを介して接続されたＰＯＳ端末３（図１参照）とのデータ通信を制御する。出力ポート４６は、ブザー２５と表示ＬＥＤ２４に駆動信号を出力する。キーボードコントローラ４７は、キーボード２２からキー信号を取り込む。表示コントローラ４８は、ディスプレイ２３に対するデータ表示を制御する。カメラコントローラ４９は、カメラ２０の撮像動作を制御する。
【００１７】
カメラ２０は、商品に付されたバーコードまたは二次元コード等のコードシンボルや、値引やポイント付加等のサービスを表示したラベルなどを撮像する。
【００１８】
次に、本実施の形態のコード読取装置２により処理される商品とカメラ２０の撮像領域との関係について説明する。図３は、商品６０とカメラ２０の撮像エリアとの関係の一例を示す図である。図中２点鎖線で囲った領域は、カメラ２０が１フレームで撮像できる領域である撮像エリア７０ａである。図３に示す商品６０には、バーコードラベル６１に加えて、サービス表示ラベルの一例である値引ラベルＬ１が貼付されている。
【００１９】
バーコードラベル６１には、商品名「豚バラうす切り」や、商品価格「２００円」や、バーコード６２等が表示されている。バーコード６２には、商品６０の販売データをＰＯＳ端末３で登録処理するのに必要な商品情報として、商品コード等の情報が組み込まれている。また、バーコード６２の下部には、バーコード６２が組み込んでいる商品コード「２１０１２３４５６７８９０」が数字で表示されている。値引ラベルＬ１には、商品６０に関する値引額を示す文字情報「表示価格より５０円引き」が表示されている。
【００２０】
尚、サービス表示ラベルとしては、商品６０に付され、商品６０の購入時に付与されるサービスに関するサービスを表示しているものであればよい。サービス表示ラベルのその他の例としては、図４に示すように、商品６０の割引率を表示した割引ラベルＬ２や、図５に示すように、商品６０を購入した客に対して、通常のポイント付与数より割増されて付与されるポイント数を表示したポイント割増ラベルＬ３等がある。
【００２１】
不揮発性のメモリ４５は、サービス表示ラベルの特徴と、サービス表示ラベルが示すサービスの内容を対応付けたラベル特徴テーブルＴを格納している。
【００２２】
図６は、ラベル特徴テーブルＴを説明する図である。図６に示すように、ラベル特徴テーブルＴは、サービス表示ラベルが含む文字やシンボルの特徴を示したラベル特徴データと、当該サービス表示ラベルによって商品に付与されるサービス情報とを対応付けて記憶している。
【００２３】
より詳細には、ラベル特徴データとは、サービス表示ラベルからＯＣＲ等の文字認識処理によって抽出される情報のことである。即ち、図３に示すように、「表示価格より５０円引き」と記載された値引ラベルＬ１については、図６のラベル特徴テーブルＴにおいてＮｏ.１のラベル特徴データに示すように、「５０、円、引」という情報が文字認識処理によって抽出される。同様に、図４、５に示すラベルＬ２、Ｌ３に対しても、図６のＮｏ．２、Ｎｏ．３のラベル特徴データに示すように、「１０、％、引」「１０、ポイント」という割引やポイント付与に関する情報が抽出される。
【００２４】
サービス情報とは、サービス表示ラベルから読み取った値引情報やポイント付与情報などのサービスに関する情報を、ＰＯＳ端末３の販売登録処理において使用できるよう英数値に変換した情報のことである。即ち、図６に示すように、ラベル特徴データ「５０、円、引」に対しては、５０円の値引を意味するサービス情報「−５０ＹＥＮ」が対応付けて記憶されている。また、ラベル特徴データ「１０、％、引」に対しては、１０％の割引を意味するサービス情報「−１０％」が対応付けて記憶されている。さらに、ラベル特徴データ「１０、ポイント」に対しては、１０ポイントのポイント割増を意味するサービス情報「＋１０Ｐ」が対応付けて記憶されている。
【００２５】
次に、本実施の形態のコード読取装置２が有する特徴的な機能について説明する。ＣＰＵ５０は、ＲＡＭ４３に展開されたＲＯＭ４２が記憶するプログラムに従って動作することで、図２に示すように、画像データ取込部５１と、バーコード読取部５２と、ラベル読取部５３と、情報出力部５４と、報知部５５として機能する。
【００２６】
画像データ取込部５１は、カメラコントローラ４９に撮像オン信号を出力してカメラ２０に撮像動作を開始させる。画像データ取込部５１は、カメラ２０が撮像した撮像エリア７０内の画像データを取り込んで、ＲＡＭ４３の画像ワークエリアに格納する。また、画像データ取込部５１は、ラベル読取部５３の指示を受けた場合に、カメラ２０が撮像した撮像エリア７０内の画像データを取り込んで、ＲＡＭ４３の画像ワークエリアに格納する。
【００２７】
ここで、画像データ取込部５１が取り込む画像データＤ（Ｄａ、Ｄｂ、Ｄｃ）について図３、図７ないし図１０を用いて説明する。
【００２８】
図３に示すように、商品６０においてバーコード６２と値引ラベルＬ１が近接して貼付されている場合には、バーコード６２と値引ラベルＬ１とが撮像エリア７０ａに納まっている。この場合、カメラ２０は、バーコード６２と値引ラベルＬ１とを１フレームで撮像することができる。画像データ取込部５１は、撮像エリア７０ａに対応する画像データＤａ（図７参照）をＲＡＭ４３の画像ワークエリアに格納する。
【００２９】
一方、図８に示すように、商品６０においてバーコード６２と値引ラベルＬ１とが離れて貼付されている場合には、バーコード６２と値引ラベルＬ１とは同一の撮像エリア７０に納まらない。この場合には、オペレータが読取窓２１にかざす商品６０の位置を変えて、バーコード６２を含む撮像エリア７０ｂと、値引ラベルＬ１を含む撮像エリア７０ｃとの複数のフレームにより商品６０を複数回に分けて撮像することとなる。画像データ取込部５１は、撮像エリア７０ｂ、７０ｃに対する各画像データＤｂ（図９参照）、Ｄｃ（図１０参照）をそれぞれ取り込み、ＲＡＭ４３の画像ワークエリアに格納する。
【００３０】
バーコード読取部５２は、画像データ取込部５１がＲＡＭ４３の画像ワークエリアに格納した画像データから、バーコード６２の画像を検出し、検出したバーコード６２から商品６０の商品情報を読み取るバーコード読取処理を行う。
【００３１】
より詳細には、バーコード読取部５２は、ＲＡＭ４３の画像ワークエリアに格納された１フレームの画像データＤ（Ｄａ〜Ｄｃ、図７、図９、図１０参照）を２値化し、２値化したデータ内にバーコード６２に関するデータ領域が存在するか否かを検出する。バーコード読取部５２は、取り込んだ画像データＤにおいてバーコード６２に関するデータ領域を検出した場合には、バーコード６２をデコードして、図１１に示すＪ１〜Ｊ１３のバーコードデータ（ＪＡＮコード）Ｃ１を、商品６０の商品情報として読み取る。バーコードデータＣ１は、メーカーコードや、商品情報としての商品コードや、チェックデジット等を含んでいる。バーコード読取部５２は、読み取ったバーコードデータＣ１をＲＡＭ４３のバーコードワークエリアに格納する。
【００３２】
ラベル読取部５３は、画像データ取込部５１がＲＡＭ４３の画像ワークエリアに格納した画像データに対して、サービス表示ラベルの画像を検出するラベル読取処理を行う。ラベル読取部５３は、サービス表示ラベルの画像を検出するまで、画像データ取込部５１による画像データの取込を予め定めた所定の時間だけ行う。また、ラベル読取部５３は、所定の時間内にサービス表示ラベルの画像を検出した場合には、検出したサービス表示ラベルの画像からサービス情報（図６参照）を読み取る。
【００３３】
より具体的には、ラベル読取部５３は、ＲＡＭ４３の画像ワークエリアに格納された１フレームの画像データＤ（Ｄａ〜Ｄｃ、図７、図９、図１０参照）に対して、ＯＣＲ（Optical  Character  Reader）等の文字認識処理を行う。ラベル読取部５３は、サービス表示ラベルが含む文字や絵やシンボル等の特徴と、ラベル特徴テーブルＴのラベル特徴データ（図６参照）とを照合して、一致度の高いラベル特徴データを検出した場合に、画像データＤにサービス表示ラベルを検出したと判断する。
【００３４】
また、ラベル読取部５３は、検出したラベル特徴データに該当するサービス情報をラベル特徴テーブルＴから読み取る。さらに、ラベル読取部５３は、読み取ったサービス情報をコード化してサービスコードＣ２（図１２参照）を生成し、ＲＡＭ４３のサービスコードワークエリアに格納する。
【００３５】
図１２は、サービスコードＣ２を説明する図である。図１２に示すように、サービスコードＣ２は、サービスの種類を設定するフラグＦと、値引額や値引率や付与ポイント数など提供されるサービスの値を示すデータＰ１〜Ｐ５を含んでいる。フラグＦは、例えば、１：値引率、２：値引金額、３：ポイントとしてサービスの種類を表すことができる。
【００３６】
さらに、ラベル読取部５３は、ラベル読取処理を時間制限するタイマー５６の動作を制御する。ラベル読取部５３は、サービス表示ラベルを検出していない場合であって、タイマー５６がタイムアウトしていない場合には、画像データ取込部５１に対して画像取り込みを行うよう指示して、カメラ２０が撮像した撮像エリア７０内の画像データを新たに取り込む処理を行わせる。
【００３７】
このようにすることで、オペレータは、タイマー５６がタイムアウトしていない所定の時間の間だけ、商品６０をカメラ２０によって複数回撮像することができる。従って、図８のように、サービス表示ラベルがバーコードラベル６１を含む撮像エリア７０ｂに貼付されていない場合であっても、オペレータは、サービス表示ラベルを含む撮像エリア７０ｃによって撮像しなおすことが可能となり、バーコードデータＣ１およびサービスコードＣ２を取得することができる。
【００３８】
情報出力部５４は、ラベル読取部５３が生成したサービスコードＣ２がＲＡＭ４３に格納されている場合には、バーコード読取部５２によりＲＡＭ４３に格納されているバーコードデータＣ１にサービスコードＣ２を結合して複合コードＣ３を生成し、これをＰＯＳ端末３に出力する。
【００３９】
図１３は、複合コードＣ３を説明する図である。図１３に示すように、複合コードＣ３は、スタートコードで始まり、バーコードデータＣ１と、サービスコードＣ２と、サービスコードＣ２のチェックデジットＣＤと、複合コードＣ３のチェックデジットＣＯＤＥ１２８ＣＤとを含んでおり、ストップコードで終わるコードとなっている。ＰＯＳ端末３は、コード読取装置２から受け取った複合コードＣ３に基づいて、商品６０にサービスコードＣ２が示すサービスを付与した販売登録を行う。
【００４０】
一例として、図３に示すように、商品６０に５０円引きの値引ラベルＬ１が貼付されていた場合には、ラベル読取部５３が読み取ったサービス情報「−５０ＹＥＮ」をデジタル化したサービスコードＣ２が生成される。従って、複合コードＣ３は、商品コード「２１０１２３４５６７８９０」に対応するバーコードデータＣ１と、「−５０ＹＥＮ」に対応するサービスコードＣ２が含むこととなる。ＰＯＳ端末３は、ＰＯＳ端末３または店舗内のホスト端末（不図示）が保持する商品マスタ等を参照して、バーコードデータＣ１に対応する商品６０の価格を読み込む。さらにＰＯＳ端末３は、サービスコードＣ２に基づいて、読み込んだ価格から５０円値引をして、商品の販売登録を行う。
【００４１】
報知部５５は、バーコード読取部５２がバーコード６２を読み取った場合に、バーコード６２が検出された状態にあることをオペレータに報知するため、バーコードオン信号を出力して表示ＬＥＤ２４を発光させる。また、報知部５５は、情報出力部５４がＰＯＳ端末３に対して複合コードＣ３、或いはバーコードデータＣ１を出力した場合に、バーコードオフ信号を出力して表示ＬＥＤ２４を消灯する。
【００４２】
さらに、報知部５５は、情報出力部５４がＰＯＳ端末３にバーコードデータＣ１を出力した場合には、ブザー２５を駆動して、バーコードラベル６１のみが読み取られ、サービス表示ラベルは読み取られなかったことを示す第１のブザー音（例えば“ピッ”）を鳴らす。
【００４３】
また、報知部５５は、情報出力部５４がＰＯＳ端末３に複合データＣ３を出力した場合には、ブザー２５を駆動して、バーコードラベル６１およびサービス表示ラベルの双方が読み取られたことを示す第２のブザー音（例えば“ピッ、ピッ”）を鳴らす。
【００４４】
次に、コード読取装置２が行う商品の販売登録処理について図１４を用いて説明する。図１４は、コード読取装置２が行う情報出力処理の手順を示したフローチャートである。
【００４５】
コード読取装置２のＣＰＵ５０は、ＰＯＳ端末３からのコマンドにより業務起動が指令されると、情報出力処理を開始する。画像データ取込部５１は、カメラコントローラ４９に撮像オン信号を出力し、カメラ２０による撮像動作を開始する（ステップＳ１）。画像データ取込部５１は、カメラ２０が撮像した画像データＤ（Ｄａ，Ｄｂ，Ｄｃ）をＲＡＭ４３の画像ワークエリアに取り込む（ステップＳ２）。そして、バーコード読取部５２は、上述したバーコード読取処理を開始する（ステップＳ３）。
【００４６】
バーコード読取部５２は、ステップＳ３のバーコード読取処理においてバーコード６２を検出したか否かを判断する（ステップＳ４）。バーコード６２を検出していない場合（ステップＳ４：Ｎｏ）には、バーコード読取部５２はカメラ２０による撮像を続ける（ステップＳ２）。
【００４７】
バーコード６２を検出している場合（ステップＳ４：Ｙｅｓ）には、ラベル読取部５３は、ラベル読取処理を時間制限するタイマー５６を起動する（ステップＳ５）。また、報知部５５は、バーコードオン信号を出力して表示ＬＥＤ２４を点灯させ（ステップＳ６）、バーコード６２が検出されたことをオペレータに報知する。
【００４８】
次に、ラベル読取部５３は、ステップＳ２でＲＡＭ４３の画像ワークエリアに取り込んだ画像データに対して、ラベル読取処理を開始する（ステップＳ７）。そして、ラベル読取部５３は、ステップＳ７のラベル読取処理においてサービス表示ラベルを検出したか否かを判断する（ステップＳ８）。
【００４９】
サービス表示ラベルを検出している場合（ステップＳ８：Ｙｅｓ）には、情報出力部５４は、ＲＡＭ４３のバーコードワークエリアに格納されているバーコードデータＣ１とサービスコードワークエリアに格納されているサービスコードＣ２とから、複合コードＣ３（図１３参照）を生成する（ステップＳ９）。そして、情報出力部５４は、生成した複合コードＣ３を通信インタフェース４４を介してＰＯＳ端末３に伝送出力する（ステップＳ１０）。報知部５５は、ブザー２５を駆動して第２のブザー音を鳴らす（ステップＳ１１）。さらに、報知部５５は、バーコードオフ信号を出力してバーコードが読み取られていることをオペレータに報知していたＬＥＤ等の表示器を消灯する（ステップＳ１２）。
【００５０】
その後、ＰＯＳ端末３からのコマンドにより業務終了が指令されたか否かを判断する（ステップＳ１８）。業務終了が指令されていない場合（ステップＳ１８：Ｎｏ）には、ステップＳ２に戻って、ステップＳ２〜Ｓ１８を全ての商品の販売登録が終了するまで繰り返す。業務終了が指令された場合には（ステップＳ１８：Ｙｅｓ）、ＣＰＵ５０は、カメラコントローラ４９に撮像オフ信号を出力し（ステップＳ１９）、カメラ２０による撮像動作を終了する。
【００５１】
一方、サービス表示ラベルを検出していない場合には（ステップＳ８：Ｎｏ）、ラベル読取部５３は、ステップＳ５で起動したタイマー５６がタイムアウトしているか否かを判断する（ステップＳ１４）。
【００５２】
タイマー５６がタイムアウトしていない場合には（ステップＳ１４：Ｎｏ）、ラベル読取部５３は、画像データ取込部５１を制御して画像データの取り込みを新たに行う（ステップＳ１３）。そして、ラベル読取部５３は新たに取り込んだ画像に対してラベル読取処理を実行する（ステップＳ７）。
【００５３】
タイマー５６がタイムアウトしている場合には（ステップＳ１４：Ｙｅｓ）、情報出力部５４は、ＲＡＭ４３のバーコードワークエリアに格納されているバーコードデータＣ１を、通信インタフェース４４を介してＰＯＳ端末３に伝送出力する（ステップＳ１５）。報知部５５は、ブザー２５を駆動して第１のブザー音を鳴らす（ステップＳ１６）。また、報知部５５は、バーコードオフ信号を出力してバーコード６２が読み取られていることをオペレータに報知していたＬＥＤ等の表示器を消灯する（ステップＳ１７）。その後、ＣＰＵ５０は、ステップＳ１８に移行する。
【００５４】
上述のように、コード読取装置２は、サービス表示ラベルを読み取るために所定の時間だけ待ち時間を設けており、所定の時間の間はサービス表示ラベルを読み取るまで、カメラ２０により撮像された新たな画像データを受付ける。これにより、カメラ２０が１フレームでバーコード６２およびサービス表示ラベルを撮像できない場合であっても、複数回商品６０を撮像することでバーコードデータＣ１とサービスコードＣ２とを取得することが可能となる。従って、オペレータによる値引処理を必要とせずに自動的に値引処理やポイント割増処理等のサービス付与処理を行うことができる。
【００５５】
また、上述のように、報知部５５はバーコードラベル６１およびサービス表示ラベルの双方が読み取られた場合と、バーコードラベル６１のみが読み取られた場合で、ブザー音の音色や回数を変えてオペレータに報知する。従って、オペレータは、ブザー音の違いにより、サービス表示ラベルが貼付された商品か否かを容易に判別することができる。従って、ＰＯＳ端末３によって自動的に値引処理やポイント割増等のサービス付与を行う場合に、オペレータによる確認作業も簡単に行うことができるという効果を奏する。
【００５６】
（第２の実施の形態）
値引の対象となる主な商品としては、店舗内で加工販売される生鮮食品等が挙げられる。一般に、店舗内で加工販売される商品に付される商品コードとしては、特定の数値（ここでは２とする）で始まるインストアコードが使用される。即ち、図３を参照すると、商品コードは「２１０１２３４５６７８９０」と「２」で始まっており、この商品６０にはインストアコードが付されていることが分かる。
【００５７】
第１の実施の形態においては、全ての商品に対してバーコード読取処理を行った後に所定の時間、サービス表示ラベルの読取待ちを設けていた。しかしながら、例えばインストアコードが付された商品に対してのみ値引販売を行うような店舗においては、インストアコードが付された商品に限ってサービス表示ラベルの読取待ちをすればよい。そこで、第２の実施の形態にかかるコード読取装置２０２は、読み取った商品コードがインストアコードか否かを判定し、インストアコードでない場合には、バーコードデータＣ１のみをＰＯＳ端末３に即時に出力することを特徴とする。
【００５８】
図１５は、第２の実施の形態にかかるコード読取装置２０２の構成を示すブロック図である。コード読取装置２０２のＣＰＵ２５０は、インストアコード判別部５７をさらに備え、第１の実施の形態にかかる情報出力部５４とは異なる情報出力部２５４を備えている。第１の実施の形態のコード読取装置２と同じ構成については同じ符号を付して説明を省略する。
【００５９】
インストアコード判別部５７は、バーコード読取部５２が読み取ったバーコードデータＣ１（図１１参照）を参照して、バーコードデータＣ１が示す商品コードがインストアコード（サービス対象情報）であることを示す特定の数値で始まっているか否かを判別する。例えば、特定の数値が「２」と定められており、バーコードデータＣ１が示す商品コードが「２１０１２３４５６７８９０」のように「２」で始まる場合には、読み取ったバーコードデータＣ１はインストアコードであると判別する。
【００６０】
情報出力部２５４は、インストアコード判別部５７が、バーコード読取部５２により読み取られたバーコードデータＣ１はインストアコードであると判別した場合に、サービス表示ラベルの読取を所定の時間だけ待たずに、即、ＲＡＭ４３に格納されたバーコードデータＣ１のみをＰＯＳ端末３に出力する。
【００６１】
次に、コード読取装置２０２が実行する情報出力処理について図１６を参照して説明する。図１６は、コード読取装置２０２が実行する情報出力処理の手順を示すフローチャートである。尚、図１４と同じ処理については同じ符号を付してここでの説明を省略する。
【００６２】
インストアコード判別部５７は、ステップＳ３で読み取ったバーコード６２がインストアコードであるか否か判別する（ステップＳ２０）。インストアコードであると判別した場合（ステップＳ２０：Ｙｅｓ）には、ステップＳ５に移行して上述したステップＳ５以降の処理を行う。一方、インストアコードではないと判別した場合（ステップＳ２０：Ｎｏ）に、情報出力部２５４は、ＲＡＭ４３のバーコードワークエリアに格納されているバーコードデータＣ１を、通信インタフェース４４を介してＰＯＳ端末３に伝送出力する（ステップＳ２１）。報知部５５は、ブザー２５を駆動してバーコード６２のみが読み取られたことを示す第１のブザー音を鳴らし（ステップＳ２２）、ステップＳ１８に移行する。
【００６３】
上述のように、コード読取装置２０２は、読み取ったバーコード６２から値引の可能性があるか否かを判別するので、値引の可能性のある商品に対してのみ、サービス表示ラベルの読み込み待ちを行う。従って、全ての商品に対してサービス表示ラベルの読み込み待ち時間を設けなくてもよいため、商品の販売登録処理をより短時間で済ませることが可能となる。
【００６４】
尚、上述では、バーコード読取部５２がバーコード６２から商品情報（バーコードデータＣ１）を読み取ってから、ラベル読取部５３がサービス表示ラベルからサービス情報を読み取るとしたが、情報を読み取る順番はこれに限定されるものではない。その他の例として、ラベル読取部５３がサービス表示ラベルからサービス情報を読み取った後に、バーコード読取部５２がバーコード６２から商品情報を読み取るとしても良い。
【００６５】
尚、上述では、商品６０にサービス表示ラベルが１枚貼付される例について説明したが、商品６０に貼付されるサービス表示ラベルは複数枚であっても良いとする。この場合、情報出力部５４、２５４は、バーコードデータＣ１とともに、各サービス表示ラベルから読み取った複数のサービスコードＣ２とを複合して複合コードＣ３を生成するものとする。
【００６６】
尚、上述では、ラベル読取部５３は、サービス表示ラベルからサービス情報を読み取るとしたが、値引や割引などの情報はラベルに印刷される形態に限定されるものではない。その他の例として、値引や割引などの情報を商品６０に直接記載したり、印刷したりするとしてもよい。また、ラベル読取部５３は、文字情報の識別処理に限定されず、ラベルや図形等の色や大きさ、形状などを識別して、それらの特徴に対応付けられたサービス情報を読み取るとしても良い。
【００６７】
また、上述では、バーコード読取部５２は、商品６０に貼付されたバーコード６２を読み取るとしたが、これに限定されるものではなく、コードシンボル等の２次元コードなどを読み取ってもよい。また、バーコード６２は、バーコードラベル６１によって商品６０に貼付されるとしたが、バーコード６２が商品に直接印刷されていてもよい。
【００６８】
なお、本実施形態のコード読取装置２、２０２で実行されるプログラムは、ＲＯＭ４２等に予め組み込まれて提供される。本実施形態のコード読取装置２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６９】
さらに、本実施形態のコード読取装置２、２０２で実行されるプログラムを、インターネット等のネットワークに接続されたコンピュータ上に格納し、ネットワーク経由でダウンロードさせることにより提供するように構成しても良い。また、本実施形態のコード読取装置２で実行されるプログラムをインターネット等のネットワーク経由で提供または配布するように構成しても良い。
【００７０】
また、この発明は前記各実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【産業上の利用可能性】
【００７１】
以上のように、本発明にかかるコード読取装置は、スーパーマーケットやコンビニエンスストアで使用されるＰＯＳ端末用のコード読取装置やバーコードリーダとして適している。
【符号の説明】
【００７２】
２、２０２  コード読取装置
３  ＰＯＳ端末
２０  カメラ
２１  読取窓
Ｔ  ラベル特徴テーブル
６０  商品
７０（７０ａ、７０ｂ、７０ｃ）  撮像エリア
Ｄ（Ｄａ、Ｄｂ、Ｄｃ）  画像データ
Ｌ１、Ｌ２、Ｌ３  サービス表示ラベル
Ｃ１  バーコードデータ
Ｃ２  サービスコード
Ｃ３  複合コード
【先行技術文献】
【特許文献】
【００７３】
【特許文献１】特開２００８−３３６４０公報
【図１】
0005386603.tif 000002
【図２】
0005386603.tif 000003
【図３】
0005386603.tif 000004
【図４】
0005386603.tif 000005
【図５】
0005386603.tif 000006
【図６】
0005386603.tif 000007
【図７】
0005386603.tif 000008
【図８】
0005386603.tif 000009
【図９】
0005386603.tif 000010
【図１０】
0005386603.tif 000011
【図１１】
0005386603.tif 000012
【図１２】
0005386603.tif 000013
【図１３】
0005386603.tif 000014
【図１４】
0005386603.tif 000015
【図１５】
0005386603.tif 000016
【図１６】
0005386603.tif 000017